(57)【要約】      （修正有）【課題】物品を収納しないときに折り畳み可能で便利な家庭用物品収納箱を提供する。【解決手段】家庭用物品収納箱は、軟質の箱カバー１１〜１４、１６と、その内側に設けられて箱カバーを直方体形状または立方体形状の姿勢に保つ骨組みとを備える。骨組みは、上枠部２１と横方向の両側の側枠部２２とを有し、上枠部は、直方体形状または立方体形状の上面の各辺をなす線材２１と、上面四隅のコーナー部に夫々配置されて各線材の端部が挿着される挿入座２２とで構成され、上面の横方向各側の辺をなす線材の端部が挿入される各挿入座の部分の下面にヒンジ座２３が設けられ、各側枠部は、直方体形状または立方体形状の横方向の各側の面の前辺、後辺及び下辺をなすようにＵ字状に成形され、その両端部が前後方向に屈曲した軸部２５を有する線材２４１〜２４３で構成され、両軸部を各ヒンジ座に挿着し、各側枠部をヒンジ座を支点にして横方向に折り畳み自在とした。【選択図】図４
0003189722.tif 000002
【実用新案登録請求の範囲】
【請求項１】
軟質の箱カバーと、その内側に設けられて箱カバーを直方体形状または立方体形状の姿勢に保つ骨組みとを備え、
直方体形状または立方体形状のいずれか一組の対面の対向方向を上下方向、他の一組の対面の対向方向を前後方向、残りの一組の対面の対向方向を横方向として、
骨組みは、上枠部と横方向の両側の側枠部とを有し、
上枠部は、直方体形状または立方体形状の上面の各辺をなす線材と、上面四隅のコーナー部に夫々配置されて各線材の端部が挿着される挿入座とで構成され、
上面の横方向各側の辺をなす線材の端部が挿入される各挿入座の部分の下面にヒンジ座が設けられ、
各側枠部は、直方体形状または立方体形状の横方向の各側の面の前辺、後辺及び下辺をなすようにＵ字状に成形され、その両端部が前後方向に屈曲した軸部を有する線材で構成され、両軸部を各ヒンジ座に挿着し、各側枠部をヒンジ座を支点にして横方向に折り畳み自在としたことを特徴とする家庭用物品収納箱。
【請求項２】
直方体形状または立方体形状の下面に設けられたベースプレートを更に備えることを特徴とする請求項1記載の家庭用物品収納箱。
【請求項３】
直方体形状または立方体形状の上面を覆う箱カバーの部分に、前方向の辺と横方向両側の辺とが骨組みから取外不能な箱カバーの部分から切り離されて収納空間を開放可能な第１の遊離カバー部が設けられると共に、直方体形状または立方体形状の前面を覆う箱カバーの部分に、上方の辺と横方向両側の辺とが骨組みから取外不能な箱カバーの部分から切り離されて収納空間を開放可能な第２の遊離カバー部が設けられ、前記第１及び第２の各遊離カバー部の横方向両側の辺を前記骨組みから取外不能な箱カバーの部分に着脱自在に結合させる結合手段を備えることを特徴とする請求項１または請求項２記載の家庭用物品収納箱。
【請求項４】
前記箱カバーは、皮、合成皮、綿繊維または化学繊維材料によって作成されることを特徴とする請求項１〜３のいずれか１項に記載の家庭用物品収納箱。
【考案の詳細な説明】
【技術分野】
【０００１】
本考案は、家庭用物品収納箱に関し、特に、折り畳み可能で便利なものに関する。
【背景技術】
【０００２】
従来の家庭用物品収納箱は、一般的に木を材料として作成され、その形状が固定されたものであった。そのため、物品を収納していないときに空間が占用され、運搬に不便であるという欠点があった。
【考案の概要】
【考案が解決しようとする課題】
【０００３】
本考案は、以上の点に鑑み、物品を収納しないときに折り畳み可能で便利な家庭用物品収納箱を提供することにある。
【課題を解決するための手段】
【０００４】
上記課題を解決するために、本考案の家庭用物品収納箱は、軟質の箱カバーと、その内側に設けられて箱カバーを直方体形状または立方体形状の姿勢に保つ骨組みとを備え、直方体形状または立方体形状のいずれか一組の対面の対向方向を上下方向、他の一組の対面の対向方向を前後方向、残りの一組の対面の対向方向を横方向として、骨組みは、上枠部と横方向の両側の側枠部とを有し、上枠部は、直方体形状または立方体形状の上面の各辺をなす線材と、上面四隅のコーナー部に夫々配置されて各線材の端部が挿着される挿入座とで構成され、上面の横方向各側の辺をなす線材の端部が挿入される各挿入座の部分の下面にヒンジ座が設けられ、各側枠部は、直方体形状または立方体形状の横方向の各側の面の前辺、後辺及び下辺をなすようにＵ字状に成形され、その両端部が前後方向に屈曲した軸部を有する線材で構成され、両軸部を各ヒンジ座に挿着し、各側枠部をヒンジ座を支点にして横方向に折り畳み自在としたことを特徴とする。
【０００５】
本考案において、直方体形状または立方体形状の下面に設けられたベースプレートを更に備えることが好ましい。
【０００６】
本考案において、直方体形状または立方体形状の上面を覆う箱カバーの部分に、前方向の辺と横方向両側の辺とが骨組みから取外不能な箱カバーの部分から切り離されて収納空間を開放可能な第１の遊離カバー部が設けられると共に、直方体形状の前面を覆う箱カバーの部分に、上方の辺と横方向両側の辺とが骨組みから取外不能な箱カバーの部分から切り離されて収納空間を開放可能な第２の遊離カバー部が設けられ、前記第１及び第２の各遊離カバー部の横方向両側の辺を前記骨組みから取外不能なシート材の部分に着脱自在に結合させる結合手段を備えることが好ましい。
【０００７】
本考案において、前記箱カバーは、皮、合成皮、綿繊維または化学繊維材料によって作成されることが好ましい。
【考案の効果】
【０００８】
本考案によれば、上枠部の挿入座に設けたヒンジ座を支点として、各側枠部が横方向に移動可能に構成したため、物品を収納しないときには、各側枠部を横方向内側に移動させることにより収納箱を上下方向に折り畳み可能であり、空間を占有せずに便利である。他方で、物品を収納するときには、各側枠部を横方向外側に移動させることにより、上枠部及び各側枠部により箱カバーが直方体形状または立方体形状の姿勢に支持されるため、箱カバー内部に画成された収納空間に物品を収納できる。
【図面の簡単な説明】
【０００９】
【図１】本考案の実施形態の家庭用物品収納箱を示す斜視図。
【図２】本考案の実施形態の家庭用物品収納箱を示す正面図。
【図３】本考案の実施形態の家庭用物品収納箱を示す平面図。
【図４】図３のＡ−Ａ線に沿った断面図。
【図５】上枠部と側枠部の接続部分を拡大して示す図。
【図６】本考案の実施形態の変形例の家庭用物品収納箱を示す図。
【考案を実施するための形態】
【００１０】
以下、図面を参照して、本考案の実施形態の家庭用物品収納箱について説明する。尚、各図において共通する要素には、同一の符号を付して重複する説明を省略する。
【００１１】
図１〜図５を参照して、ＳＢは、家庭用物品収納箱（以下、「収納箱」という）であり、収納箱ＳＢは、軟質の箱カバー１１〜１６と、その内側に設けられて箱カバー１１〜１６を直方体形状または立方体形状の姿勢に保つ骨組み２とを備える。箱カバー１１〜１６は、皮、合成皮、綿繊維または化学繊維材料によって作成される。これらの箱カバー１１〜１６により、内部に収納空間ＳＰが画成される。以下においては、骨組み２が箱カバー１１〜１６を直方体形状の姿勢に保つ場合を例として、直方体形状のいずれか一組の対面の対向方向を上下方向、他の一組の対面の対向方向を前後方向、残りの一組の対面の対向方向を横方向として説明するが、これら上下方向、前後方向、横方向といった用語は図１を基準とする。
【００１２】
骨組み２は、直方体形状の上面を支持する上枠部２１と、直方体形状の横方向の両側の側枠部２２とを有する。上枠部２１は、上面の各辺をなす線材２１と、上面四隅のコーナー部に夫々配置されて各線材２１の端部が装着される略Ｌ字型の挿入座２２とで構成される。上面の横方向各側の辺をなす線材２１の端部が挿入される各挿入座２２の部分の下面には、ヒンジ座２３が設けられている。これら挿入座２２及びヒンジ座２３は、例えば樹脂製であり、両者を一体成形により形成することができる。各側枠部２２は、直方体形状の横方向の各側の面の前辺２４１、後辺２４２及び下辺２４３をなすようにＵ字状に成形される線材で構成されている。側枠部２２の両端、即ち、前辺２４１及び後辺２４２の上端は夫々前後方向に屈曲されて軸部２５を形成し、この両軸部２５が各ヒンジ座２３に装着されている。このような構成を採用することにより、図２において二点鎖線で示すように、各側枠部２２がヒンジ座２３を支点にして横方向内側に移動できる。各側枠部２２が傾斜していくのに従い、収納箱ＳＢが上下方向に徐々に折り畳まれる。
【００１３】
直方体形状の上面を覆う箱カバー１１の部分には、前方向の辺と横方向の辺とが骨組み２から取外不能な箱カバーの部分１１から切り離されて収納空間ＳＰを開放可能な第１の遊離カバー部（蓋）１２が設けられ、第１の遊離カバー部１２が開いた状態で上方から物品の出し入れが可能となっている。これと共に、直方体形状の前面を覆う箱カバー１２の部分には、上方の辺と横方向両側の辺とが骨組みから取外不能な箱カバーの部分１３から切り離されて収納空間ＳＰを開放可能な第２の遊離カバー部（門カバー）１４が設けられ、第２の遊離カバー部１４を開いた状態で前方から物品の出し入れが可能となっている。このように、第２の遊離カバー部１４を設けることで、収納箱ＳＢを複数積み重ねて設置した場合でも、物品を出し入れできる。さらに、収納箱ＳＢは、第１及び第２の各遊離カバー部１２，１４の横方向両側の辺を上記骨組みから取外不能な箱カバーの部分１１，１３に着脱自在に結合させる結合手段３，４を備え、収納箱ＳＢを持ち運ぶ際に、収納空間ＳＰから収納物が飛び出すことを防止できる。結合手段３，４としては、公知のファスナー手段を用いることができる。尚、直方体形状の横方向両側の面を覆う箱カバー１４，１５には、収納箱ＳＢを持ち運ぶ際に利用者が把持する把持部５が夫々設けられている。
【００１４】
第１の遊離カバー部１２の前方に、直方体形状の前面上部までのびるオーバラップ部１５が延設されている。オーバラップ部１５は、収納空間ＳＰ内に埃等が入り難くするという役割を果たす。収納箱ＳＢは、第２の遊離カバー部１４の上部にオーバラップ部１５を重ねた状態で保持する保持手段６を備える。
【００１５】
保持手段６は、上枠部２１の前方の辺をなす線材に取り付けた帯状シート部６１と、帯状シート部６１の前面及び、これに対応する第２の遊離カバー部１４の後面上部に設けられた一対の第１の面ファスナー（接着テープ）６２と、第２の遊離カバー部１４の前面上部及びこれに対応するオーバラップ部１５の部分に設けられた一対の第２の面ファスナー６３とを備える。使用過程において収納空間ＳＢに物品を入れたり、収納空間ＳＢから物品を取り出した後、結合手段３，４を閉じて、帯状シート部６１に第２の遊離カバー部１４の上部を重ねて保持し、その後、この第２の遊離カバー部１４の上部にオーバラップ部１５を重ねて保持することができる。収納箱ＳＢを移動させないのであれば、結合手段３，４を開いた状態で、帯状シート部６１に第２の遊離カバー部１４、オーバラップ部１５を重ねるようにしてもよい。尚、第１及び第２の面ファスナー６２，６３としては公知のものを用いることができるため、ここでは詳細な説明を省略する。
【００１６】
収納箱ＳＢは、直方体形状の下面を覆う箱カバー１６上に取外可能に設けられるベースプレート７を備え、下面の支持強度を増加させている。ベースプレート７は、木、樹脂、金属等の材料で作製されることが好ましい。また、ベースプレート７の上面は、内裏地８で覆われており、収納空間ＳＰに収納された物品の下面が傷付き難くしている。
【００１７】
このように、本実施形態によれば、ヒンジ座２３を支点として各側枠部２２を横方向に移動可能に構成したため、物品を収納しないときには、各側枠部２２を横方向内側に移動させることにより、収納箱ＳＢを上下方向に折り畳むことができて便利である。他方で、物品を収納するときには、各側枠部２２を横方向外側に移動させることにより、上枠部２１及び各側枠部２２により箱カバー１１〜１６が直方体形状または立方体形状の姿勢に支持されるため、箱カバー内部に画成された収納空間ＳＰに物品を収納できる。
【００１８】
尚、本考案は上記実施形態に限定されるものではない。例えば、収納箱がその横方向の長さが長い比較的大型の収納箱である場合には、図６に示すように、支持強度を増加するために、直方体形状の後面を覆う箱カバー１３の内側に後枠部２３を更に設けてもよい。後枠部２３は、直方体形状の両側辺２６１及び下辺２６２をなすようにＵ字状に成形された線材２６と、上枠部２１の後辺をなす線材２１に外挿される２個（図６に示されているのは１個のみ）の挿入座２７と、挿入座２７の下面に設けられるヒンジ座２８とを備えている。これら挿入座２７及びヒンジ座２８は、例えば樹脂製であり、両者を一体成形により形成することができる。線材２６の両端、即ち、両側辺２６１の上端は夫々横方向に屈曲されて軸部２９を形成し、この両軸部２９が各ヒンジ座２８に装着されている。このような構成を採用することにより、図６において二点鎖線で示すように、後枠部２３の線材２６がヒンジ座２８を支点にして前方向に移動できる。上記の如く側枠部２２を傾斜させると共に線材２６を傾斜させるのに従い、収納箱ＳＢが上下方向に徐々に折り畳まれる。
【符号の説明】
【００１９】
ＳＢ…収納箱、１１〜１６…箱カバー、１２…第１の遊離カバー部、１４…第２の遊離カバー部、２…骨組み、２１…上枠部、２２…側枠部、２１…線材、２２…挿入座、２３…ヒンジ座、２４１〜２４３…線材、２５…軸部、３，４…結合手段、７…ベースプレート。
【図１】
0003189722.tif 000003
【図２】
0003189722.tif 000004
【図３】
0003189722.tif 000005
【図４】
0003189722.tif 000006
【図５】
0003189722.tif 000007
【図６】
0003189722.tif 000008